(57)【要約】【課題】収納するブレード状チップが振り出されやすく、方向性をもち、振り出されたブレード状チップを落とすことがないヒンジ蓋付ブレード状チップ振出し容器を提供する。【解決手段】円筒状周壁と底板とからなる容器本体１００と、容器本体の開口部を開閉するヒンジ蓋２００と、容器本体の内側に係着する振出し部材３００とからなる容器であり、ヒンジ蓋は、ヒンジ側を部分的に高くしたインナー封止リング２３０を下面に設け、振出し部材は、円板状天板３１０の下面に、円板状天板の中心点に中心線をもつ水平断面外周形状が正方形のブレード状チップ収容筒３２０を垂設し、このブレード状チップ収容筒の内側の円板状天板の下面に、円板状天板の中心点に中心線をもつ十字状ガイドリブ３３０を垂設し、この十字状リブの外周面延長線上の外側に沿って、円板状天板に二つの振出し溝孔が９０度角で連続するＬ字状振出し口３４０を設ける。【選択図】図１
2006206105.tif 000002
【特許請求の範囲】
【請求項１】
円筒状周壁と底板とからなる容器本体と、容器本体の開口部を開閉するヒンジ蓋と、容器本体の内側に係着する振出し部材とからなる容器であって、ヒンジ蓋は、容器本体の後方にヒンジを介して開閉可能に接続し、下面にヒンジ側を部分的に高くしたインナー封止リングを設け、振出し部材は、円板状天板の下面に、円板状天板の中心点に中心線をもつ水平断面外周形状が正方形のブレード状チップ収納筒を垂設し、このブレード状チップ収納筒の内側の円板状天板の下面に、円板状天板の中心点に中心線をもつ十字状ガイドリブを垂設し、この十字状リブの外周面延長線上の外側に沿って、円板状天板に二つの振出し溝孔が９０度角で連続するＬ字状振出し口を設けたことを特徴とするヒンジ蓋付ブレード状チップ振出し容器。
【請求項２】
円筒状周壁と底板とからなる容器本体と、容器本体の開口部を開閉するヒンジ蓋と、容器本体の内側に係着する振出し部材とからなる容器であって、ヒンジ蓋は、容器本体の後方にヒンジを介して開閉可能に接続し、下面にヒンジ側を部分的に高くしたインナー封止リングを設け、振出し部材は、円板状天板の下面に、円板状天板の中心点に中心線をもつ水平断面外周形状が正方形のブレード状チップ収納筒を垂設し、このブレード状チップ収納筒の内側の円板状天板の下面に、円板状天板の中心点に中心線をもつ十字状ガイドリブを垂設し、この十字状リブの外周面延長線上の外側に沿って、円板状天板に三つの振出し溝孔が４５度角で連続する矢印状振出し口を設けたことを特徴とするヒンジ蓋付ブレード状チップ振出し容器。
【請求項３】
円板状天板に設ける振出し溝孔に、外側から内側へ開くＲ形状の斜面を形成したことを特徴とする請求項１又は請求項２記載のヒンジ蓋付ブレード状チップ振出し容器。
【発明の詳細な説明】
【技術分野】
【０００１】
本発明は、医療関係の測定、検査、治療に使用するセンサーチップや検査紙などのブレード状チップを収納し、必要なときに、そのブレード状チップを振り出して使用するヒンジ蓋付ブレード状チップ振出し容器に関するものである。
【背景技術】
【０００２】
従来、収納するブレード状チップを、必要なときに、振り出す容器としては、例えば、御神籤の容器があり、この容器は、天板の任意の一箇所に振出し溝孔を設けたものであった。
【発明の開示】
【発明が解決しようとする課題】
【０００３】
しかしながら、上述した従来のブレード状チップを振り出す御神籤の容器は、容器を逆さにして振ったときに、収納するブレード状チップの先端が、偶発的に振出し溝孔に合ったときのみに、収納するブレード状チップが振り出されて来るものであり、かなりの回数振らないと、ブレード状チップが振り出されてこないものであった。また、収納するブレード状チップの数が少なくなると、さらに振り出されにくくなった。また、振り出されたブレード状チップを床などに落とすことがあった。
【０００４】
本発明は、上述の従来のブレード状チップを振出し容器の問題点を解決したものであり、収納するブレード状チップが振り出されやすく、方向性をもち、振り出されたブレード状チップを落とすことがないヒンジ蓋付ブレード状チップ振出し容器を提供するものである。
【課題を解決するための手段】
【０００５】
すなわち、本発明の第１の発明は、円筒状周壁と底板とからなる容器本体と、容器本体の開口部を開閉するヒンジ蓋と、容器本体の内側に係着する振出し部材とからなる容器であって、ヒンジ蓋は、容器本体の後方にヒンジを介して開閉可能に接続し、下面にヒンジ側を部分的に高くしたインナー封止リングを設け、振出し部材は、円板状天板の下面に、円板状天板の中心点に中心線をもつ水平断面外周形状が正方形のブレード状チップ収納筒を垂設し、このブレード状チップ収納筒の内側の円板状天板の下面に、円板状天板の中心点に中心線をもつ十字状ガイドリブを垂設し、この十字状リブの外周面延長線上の外側に沿って、円板状天板に二つの振出し溝孔が９０度角で連続するＬ字状振出し口を設けたことを特徴とするヒンジ蓋付ブレード状チップ振出し容器である。
【０００６】
次に、本発明の第２の発明は、円筒状周壁と底板とからなる容器本体と、容器本体の開口部を開閉するヒンジ蓋と、容器本体の内側に係着する振出し部材とからなる容器であって、ヒンジ蓋は、容器本体の後方にヒンジを介して開閉可能に接続し、下面にヒンジ側を部分的に高くしたインナー封止リングを設け、振出し部材は、円板状天板の下面に、円板状天板の中心点に中心線をもつ水平断面外周形状が正方形のブレード状チップ収納筒を垂設し、このブレード状チップ収納筒の内側の円板状天板の下面に、円板状天板の中心点に中心線をもつ十字状ガイドリブを垂設し、この十字状リブの外周面延長線上の外側に沿って、円板状天板に三つの振出し溝孔が４５度角で連続する矢印状振出し口を設けたことを特徴とするヒンジ蓋付ブレード状チップ振出し容器である。
【０００７】
そして、本発明の第３の発明は、円板状天板に設ける振出し溝孔に、外側から内側へ開くＲ形状の斜面を形成したことを特徴とする第１の発明又は第２の発明に記載のヒンジ蓋
付ブレード状チップ振出し容器である。
【発明の効果】
【０００８】
本発明のヒンジ蓋付ブレード状チップ振出し容器は、ブレード状チップを指で触れてよい先端側をＬ字状振出し口側にして、振出し部材のブレード状チップ収納筒の下方からブレード状チップ収納筒に収納し、この振出し部材を容器本体内に係着してヒンジ蓋を閉じて置くものであるが、ブレード状チップを使用するときは、図４に示すように、ヒンジ蓋（２００）を、ヒンジ（２１０）側の部分的に高くしたインナー封止リング（２２０）を容器本体（１００）の円筒状周壁（１１０）の開口部に引っ掛けて半開きの状態にし、そして、容器を倒立状態に傾斜させて振ると、ブレード状チップ収納筒（３２０）に収納されていたブレード状チップ（２０）が、十字状ガイドリブ（３３０）に誘導されて、振出し部材（３００）の円板状天板（３１０）に設けられたＬ字状振出し口（３４０）のいずれかの図１（ｂ）に示す振出し溝孔（３４１，３４２）から、ブレード状チップが指で触れてもよい先端側を下にして一枚ずつ良好に振り出されて来る。振出し溝孔（３４１，３４２）の位置は、図１（ａ）及び（ｂ）に示すように、振出し部材（３００）の円板状天板（３１０）の中央側に設けられており、ヒンジ蓋（２００）のインナー封止リング（２２０）の内側の対向側に位置している。このため、振り出されたブレード状チップは、図４に示すように、半開きの状態のヒンジ蓋（２００）のインナー封止リング（２２０）の内側の内面に当接して止まる。このため、振り出されたブレード状チップを容器外に落とすことがない。そして、一枚ずつブレード状チップを指で触れてよい先端側を指で掴んで取り出して使用する。なお、使用したのちには、容器を正立状態に戻して、振り出されているブレード状チップを容器内に戻し、そして、ヒンジ蓋を閉じて容器を封止して置くものである。
【０００９】
また、本発明のヒンジ蓋付ブレード状チップ振出し容器は、図７に示すように、振出し部材の円板状天板（３１０）に設けられるＬ字状振出し口の振出し溝孔（３４１，３４２，３５１，３５２，３５３）に、外側から内側へ開くＲ形状の傾斜面（３４３，３５４）を形成して置くと、ブレード状チップ（２０）の角が尖っていても、毛羽立っていても、ブレード状チップが引っ掛かることないため、ブレード状チップが振出し溝孔からさらに良好に振り出されて来る。
【発明を実施するための最良の形態】
【００１０】
次に、本発明のヒンジ蓋付ブレード状チップ振出し容器の実施形態について、図を用いて詳細に説明する。
【００１１】
本実施形態のヒンジ蓋付ブレード状チップ振出し容器（１０）は、図１（ａ）に示すように、容器本体（１００）の円筒状周壁（１１０）の上端部後方に、ヒンジ（２１０）を介して容器本体の開口部を開閉するヒンジ蓋（２００）が接続し、容器本体内に、ブレード状チップ（２０）を収納しかつブレード状チップを振り出す振出し部材（３００）が、係着するものである。ヒンジ蓋の前方には、開閉用つまみ（２３０）が突設し、ヒンジ蓋の下面には、半開き状態に維持出来るように、ヒンジ側を部分的に高くしたインナー封止リング（２２０）が設けられるものである。振出し部材（３００）は、図１（ａ）及び（ｂ）に示すように、円板状天板（３１０）とブレード状チップ収納筒（３２０）と十字状ガイドリブ（３３０）とからなり、円板状天板の下面は、円板状天板の中心点に中心線をもつ水平断面外周形状が正方形のブレード状チップ収納筒（３２０）が垂設し、このブレード状チップ収納筒の内側の円板状天板の下面に、円板状天板の中心点に中心線をもつ十字状ガイドリブ（３３０）を垂設し、この十字状リブの外周面延長線上の外側に沿って、円板状天板に複数個の振出し溝孔からなる振出し口が設けられるものである。そして、容器本体とヒンジ蓋は、使用目的に合ったポリプロピレンやポリエチレンなどの熱可塑性樹脂を用いて、射出成形法により通常では一体に作製されるものである。また、振出し部材
は、別途、使用目的に合ったポリプロピレンやポリエチレンなどの熱可塑性樹脂を用いて、射出成形法により作製されるものである。
【００１２】
実施形態１のヒンジ蓋付ブレード状チップ振出し容器の振出し部材（３００）の円板状天板（３１０）に設ける振出し口は、図１（ｂ）に示すように、二つの振出し溝孔（３４１，３４２）が９０度角で連続するＬ字状振出し口（３４０）にするものであり、振出し溝孔（３４１，３４２）には、図７に示すように、外側から内側へ開くＲ形状の斜面（３４３）を形成するものである。そして、図３に示すように、収納するブレード状チップ（２０）の幅をＷとし、長さをＬとし、厚みをＴとすると、図１（ｂ）に示すように、振出し溝孔（３４１，３４２）の長さをＡとし、振出し溝孔の幅をＢとし、図１に示すように、底板（１２０）の内面から十字状ガイドリブ（３３０）の下端に至る高さをＨとし、図５（ａ）に示すように、ブレードチップ収納筒（３２０）の対向する角部のブレード状チップの幅の内面位置間の間隔をＤとすると、通常では、Ａ＝Ｗ×１．０５〜１．９５、Ｂ＝Ｔ×１．０５〜１．９５、Ｈ≧Ｌ×１．０５、Ｄ＜Ｌ×０．７５になるように、製品設計をするものである。なお、Ｄ＜Ｌ×０．７５に規制するのは、ブレードチップ収納筒内で、収納されたブレードチップが、ひっくりかえることがないようにするためである。また、十字状ガイドリブ（３３０）の下端は、図６（ａ）に示すように、下端を尖らせたものや、図６（ｂ）に示すように、下方の中心位置に下端を収束させた形状にすると、収納されたブレードチップが、良好に振出し溝孔から振り出されて来る。
【００１３】
次に、実施形態２のヒンジ蓋付ブレード状チップ振出し容器の振出し部材の円板状天板（３１０）に設ける振出し口は、図２に示すように、振り出されるブレード状チップを枚数を増やすために、三つの振出し溝孔（３５１，３５３，３５２）が４５度角で連続する矢印状振出し口（３５０）にするものであり、振出し溝孔（３４１，３４２）には、図７に示すように、外側から内側へ開くＲ形状の斜面（３５４）を形成するものである。その他は、実施形態１と同様である。
【図面の簡単な説明】
【００１４】
【図１】（ａ）本発明の実施形態１のヒンジ蓋付ブレード状チップ振出し容器の断面図であり、（ｂ）は、その振出し部材の底面図である。
【図２】本発明の実施形態２のヒンジ蓋付ブレード状チップ振出し容器の振出し部材の底面図である。
【図３】一例のブレード状チップの形状を示す説明図である。
【図４】本発明のヒンジ蓋付ブレード状チップ振出し容器のブレード状チップを振り出すときの状態を示す説明図である。
【図５】（ａ）は、本発明の実施形態１のヒンジ蓋付ブレード状チップ振出し容器の振出し部材のブレード状チップ収納筒、十字状ガイドリブ及びＬ字状振出し口の形状を示す説明図であり、（ｂ）は、Ｌ字状振出し口の形状を示す説明図である。
【図６】（ａ）は、本発明の一実施形態のヒンジ蓋付ブレード状チップ振出し容器の振出し部材の十字状ガイドリブの形状を示す説明図であり、（ｂ）は、他の一実施形態の十字状ガイドリブの形状を示す説明図である。
【図７】振出し溝孔に、外側から内側へＲ形状の斜面を形成したときの状態を示す説明図である。
【符号の説明】
【００１５】
１０……ヒンジ蓋付ブレード状チップ振出し容器
２０……ブレード状チップ
１００……容器本体
１１０……円筒状周壁
１２０……底板
２００……ヒンジ蓋
２１０……ヒンジ
２２０……インナー封止リング
２３０……開閉用つまみ
３００……振出し部材
３１０……円板状天板
３２０……ブレードチップ収納筒
３３０……十字状ガイドリブ
３４０……Ｌ字状振出し口
３４１，３４２，３５１，３５２，３５３……振出し溝孔
３４３，３５４……傾斜面
３５０……矢印状振出し口
Ａ……振出し溝孔の長さ
Ｂ……振出し溝孔の幅
Ｄ……対向角部のブレード状チップ幅位置間の間隔
Ｗ……ブレード状チップの幅
Ｌ……ブレード状チップの長さ
Ｔ……ブレード状チップの厚み
Ｈ……底板から十字状リブ下端までの高さ
【図１】
2006206105.tif 000003
【図２】
2006206105.tif 000004
【図３】
2006206105.tif 000005
【図４】
2006206105.tif 000006
【図５】
2006206105.tif 000007
【図６】
2006206105.tif 000008
【図７】
2006206105.tif 000009